【手続補正書】
【提出日】平成17年8月26日(2005.8.26)
【手続補正１】
【補正対象書類名】明細書
【補正対象項目名】発明の名称
【補正方法】変更
【補正の内容】
【発明の名称】景品獲得ゲーム装置
【手続補正２】
【補正対象書類名】明細書
【補正対象項目名】特許請求の範囲
【補正方法】変更
【補正の内容】
【特許請求の範囲】
【請求項１】  プレイヤが操作する操作部を前面に設けた筐体と、
景品を収納する景品収納部と、
前記筐体の背面から片持ち構造により筐体前面に向けて支持される固定ガイド部と、
前記固定ガイド部に横架され、前記固定ガイド部に沿って移動する移動ガイド部と、
前記移動ガイド部に吊下され、前記移動ガイド部に沿って移動し、前記景品収納部内の景品を把持する景品把持部と、
を備えたことを特徴とする景品獲得ゲーム装置。
【請求項２】  前記固定ガイド部は、前記筐体の上面近傍に設けられたことを特徴とする請求項１に記載の景品獲得ゲーム装置。
【請求項３】  前記景品収納部は、前記筐体の少なくとも前面及び上面を覆う前記透明カバーを有することを特徴とする請求項１に記載の景品獲得ゲーム装置。
【請求項４】  前記透明カバーは、上下方向に回動可能に取り付けられたことを特徴とする請求項３に記載の景品獲得ゲーム装置。
【請求項５】  プレイヤが操作する操作部を前面に設けた筐体と、
景品を収納する景品収納部と、
前記筐体の背面から片持ち構造により筐体前面に向けて支持される一対の固定ガイド部と、
前記一対の固定ガイド部間に横架され、前記固定ガイド部に沿って移動する移動ガイド部と、
前記移動ガイド部に吊下され、前記移動ガイド部に沿って移動し、前記景品収納部内の景品を把持する景品把持部と、
前記筐体に上下方向に回動可能に取り付けられ、少なくとも前記景品収容部の前面及び上面を覆う透明カバーと、
を備え、
前記透明カバーを上方に回動させることにより、前記固定ガイド部、前記移動ガイド部及び前記景品把持部が前記景品収納部内に支持されたままで露出するように前記景品収納部が開いた状態になることを特徴とする景品獲得ゲーム装置。
【手続補正３】
【補正対象書類名】明細書
【補正対象項目名】０００１
【補正方法】変更
【補正の内容】
【０００１】
【発明の属する技術分野】
本発明は景品獲得ゲーム装置に係り、特にケース内に収容された景品の上方に把持部を移動させて目標とする景品を獲得する景品獲得ゲーム装置に関する。
【手続補正４】
【補正対象書類名】明細書
【補正対象項目名】０００２
【補正方法】変更
【補正の内容】
【０００２】
【従来の技術】
例えばゲームセンタ等に設置されるゲーム装置の一種に景品を獲得する景品獲得ゲーム装置としてクレーンゲーム装置がある。このクレーンゲーム装置は、主としてキャラクタ商品の人形などよりなる景品が多数収容された透明なケースと、このケースの前面に設けられた操作部の操作釦を操作することにより景品を把持する把持部を移動させるクレーン機構と、を有する。また、ケースの内部には、外部と連通する景品排出口が設けられ、把持部に把持された景品はこの景品排出口の上方に移動して把持部が開くと景品排出口へ落下して、外部に開口する景品受取口に至る。
【手続補正５】
【補正対象書類名】明細書
【補正対象項目名】０００７
【補正方法】変更
【補正の内容】
【０００７】
また、例えばディスプレイを有するようなシュミレーションゲーム装置等と外観上のデザインが異なっているため、他のゲーム装置と並べられた場合、他のゲーム装置と高さ寸法や奥行き寸法が異なるので周囲との釣り合いが取れない場合がある。
そこで、本発明は上記課題を解決した景品獲得ゲーム装置を提供することを目的とする。
【手続補正６】
【補正対象書類名】明細書
【補正対象項目名】０００８
【補正方法】変更
【補正の内容】
【０００８】
【課題を解決するための手段】
上記課題を解決するために本発明では、下記の手段を講じたことを特徴とするものである。
上記請求項１記載の発明は、プレイヤが操作する操作部を前面に設けた筐体と、
景品を収納する景品収納部と、
前記筐体の背面から片持ち構造により筐体前面に向けて支持される固定ガイド部と、
前記固定ガイド部に横架され、前記固定ガイド部に沿って移動する移動ガイド部と、
前記移動ガイド部に吊下され、前記移動ガイド部に沿って移動し、前記景品収納部内の景品を把持する景品把持部と、
を備えたことを特徴とするものである。
【手続補正７】
【補正対象書類名】明細書
【補正対象項目名】０００９
【補正方法】変更
【補正の内容】
【０００９】
従って、上記請求項１記載の発明によれば、筐体の背面から片持ち構造により筐体前面に向けて支持される固定ガイド部に横架された移動ガイド部に支持された景品把持部を移動させて景品を獲得するため、前面側にガイド機構を設けない構成となり、プレイヤから筐体内部が見やすくなり、景品把持部の動きを視認しやすくなる。そのため、景品把持部の動きが見やすいので、子供がプレイしやすくなるよう装置の上面高さ低くすることが可能になる。
【手続補正８】
【補正対象書類名】明細書
【補正対象項目名】００１０
【補正方法】変更
【補正の内容】
【００１０】
また、上記請求項２記載の発明は、前記固定ガイド部が、前記筐体の上面近傍に設けられたことを特徴とするものである。
従って、請求項２の発明によれば、固定ガイド部が筐体の上面近傍に設けられたため、プレイヤから筐体内部が見やすくなり、景品把持部の動きを視認しやすくなる。
【手続補正９】
【補正対象書類名】明細書
【補正対象項目名】００１１
【補正方法】変更
【補正の内容】
【００１１】
また、上記請求項３記載の発明は、景品収納部は、前記筐体の少なくとも前面及び上面を覆う前記透明カバーを有することを特徴とするものである。
従って、請求項３の発明によれば、筐体の少なくとも前面及び上面を覆う透明カバーを有するため、筐体の上端高さを低くして子供がプレイする場合は透明カバーの前面より把持部の動きを見やすくでき、大人がプレイする場合は透明カバーの前面又は上面から把持部の動きを見ることができる。また、他のゲーム装置と並べられても違和感がなく周囲のゲーム装置とデザイン的に融合して設置しやすくなる。また、プレイヤに対し天井の照明が窓ガラスで反射しにくいので、筐体内部の状態が確認しやすくなり、プレイヤの負担を軽減することができる。
【手続補正１０】
【補正対象書類名】明細書
【補正対象項目名】００１２
【補正方法】変更
【補正の内容】
【００１２】
また、上記請求項４記載の発明は、前記透明カバーが、上下方向に回動可能に取り付けられたことを特徴とするものである。
従って、請求項４の発明によれば、透明カバーを上方に回動させて景品収納部を全開状態にすることにより、景品の補充や交換作業が容易に行なえると共に、筐体内部のメンテナンスも容易に行なうことができる。
また、上記請求項５記載の発明は、プレイヤが操作する操作部を前面に設けた筐体と、
景品を収納する景品収納部と、
前記筐体の背面から片持ち構造により筐体前面に向けて支持される一対の固定ガイド部と、
前記一対の固定ガイド部間に横架され、前記固定ガイド部に沿って移動する移動ガイド部と、
前記移動ガイド部に吊下され、前記移動ガイド部に沿って移動し、前記景品収納部内の景品を把持する景品把持部と、
前記筐体に上下方向に回動可能に取り付けられ、少なくとも前記景品収容部の前面及び上面を覆う透明カバーと、
を備え、
前記透明カバーを上方に回動させることにより、前記固定ガイド部、前記移動ガイド部及び前記景品把持部が前記景品収納部内に支持されたままで露出するように前記景品収納部が開いた状態になることを特徴とする。
従って、請求項５の発明によれば、透明カバーを上方に回動させることにより、固定ガイド部、移動ガイド部及び景品把持部が前記景品収納部内に支持されたままで露出するため、固定ガイド部、移動ガイド部及び景品把持部のメンテナンスも容易に行なうことができる。
【手続補正１１】
【補正対象書類名】明細書
【補正対象項目名】００１３
【補正方法】変更
【補正の内容】
【００１３】
【発明の実施の形態】
以下、図面と共に本発明の実施の形態について説明する。
図１は本発明になる景品獲得ゲーム装置の一実施例としてのクレーンゲーム装置の斜視図である。また、図２は透明カバーを開いた状態を示す斜視図である。また、図３はクレーンゲーム装置１１の正面図である。また、図４はクレーンゲーム装置１１の平面図である。
【手続補正１２】
【補正対象書類名】明細書
【補正対象項目名】００２５
【補正方法】変更
【補正の内容】
【００２５】
図１０及び図１１に示されるように、クレーン機構１５は、一端が筐体１２の背面側に設けられた支柱３３に固定され、他端が前側に延在する片持ち構造の腕部（固定ガイド部）３６ａ，３６ｂと、Ｙ方向（前後方向）に駆動される横架部材（移動ガイド部）３７と、横架部材３７をＹ方向（前後方向）に駆動するＹ方向駆動機構３８と、横架部材３７から吊下された景品把持部２４と、景品把持部２４をＺ方向に昇降させるＺ方向駆動機構４０と、Ｚ方向駆動機構４０をＸ方向（左右方向）に駆動するＸ方向駆動機構４１とから構成されている。
【手続補正１３】
【補正対象書類名】明細書
【補正対象項目名】００４３
【補正方法】変更
【補正の内容】
【００４３】
【発明の効果】
上述の如く、請求項１記載の発明によれば、筐体の背面から片持ち構造により筐体前面に向けて支持される固定ガイド部に横架された移動ガイド部に支持された景品把持部を移動させて景品を獲得するため、前面側にガイド機構を設けない構成となり、プレイヤから筐体内部が見やすくなり、景品把持部の動きを視認しやすくなる。そのため、景品把持部の動きが見やすいので、子供がプレイしやすくなるよう装置の上面高さ低くすることが可能になる。
【手続補正１４】
【補正対象書類名】明細書
【補正対象項目名】００４４
【補正方法】変更
【補正の内容】
【００４４】
請求項２の発明によれば、固定ガイド部が筐体の上面近傍に設けられたため、プレイヤから筐体内部が見やすくなり、景品把持部の動きを視認しやすくなる。
【手続補正１５】
【補正対象書類名】明細書
【補正対象項目名】００４５
【補正方法】変更
【補正の内容】
【００４５】
請求項３の発明によれば、筐体の少なくとも前面及び上面を覆う透明カバーを有するため、筐体の上端高さを低くして子供がプレイする場合は透明カバーの前面より把持部の動きを見やすくでき、大人がプレイする場合は透明カバーの前面又は上面から把持部の動きを見ることができる。また、他のゲーム装置と並べられても違和感がなく周囲のゲーム装置とデザイン的に融合して設置しやすくなる。また、プレイヤに対し天井の照明が窓ガラスで反射しにくいので、筐体内部の状態が確認しやすくなり、プレイヤの負担を軽減することができる。
請求項４の発明によれば、透明カバーを上方に回動させて景品収納部を全開状態にすることにより、景品の補充や交換作業が容易に行なえると共に、筐体内部のメンテナンスも容易に行なうことができる。
請求項５の発明によれば、透明カバーを上方に回動させることにより、固定ガイド部、移動ガイド部及び景品把持部が景品収納部内に支持されたままで露出するため、固定ガイド部、移動ガイド部及び景品把持部のメンテナンスも容易に行なうことができる。
【手続補正１６】
【補正対象書類名】明細書
【補正対象項目名】図面の簡単な説明
【補正方法】変更
【補正の内容】
【図面の簡単な説明】
【図１】本発明になる景品獲得ゲーム装置の一実施例としてのクレーンゲーム装置の斜視図である。
【図２】透明カバーを開いた状態を示す斜視図である。
【図３】クレーンゲーム装置１１の正面図である。
【図４】クレーンゲーム装置１１の平面図である。
【図５】クレーンゲーム装置１１の左側面図である。
【図６】クレーンゲーム装置１１の右側面図である。
【図７】クレーンゲーム装置１１の背面図である。
【図８】クレーンゲーム装置１１の底面図である。
【図９】クレーンゲーム装置１１を右側方からみた縦断面図である。
【図１０】クレーン機構１５を斜め上方からみた斜視図である。
【図１１】クレーン機構１５を斜め下方からみた斜視図である。
【図１２】景品把持部２４の構成を示す正面図である。
【図１３】制御回路及び各スイッチ，モータ等の構成を示すブロック図である。
【図１４】制御回路７５が実行する制御処理を説明するためのフローチャートである。
【図１５】３台のクレーンゲーム装置１１を並設した状態を示す斜視図である。
【符号の説明】
１１  クレーンゲーム装置
１２  筐体
１３  透明カバー
１５  クレーン機構
１６  操作部
１７  コイン投入口
１８  Ｙ方向操作スイッチ
１９  Ｘ方向操作スイッチ
２０  景品受取口
２１  コイン返却口
２２  景品投入口
２４  景品把持部
２５  駆動ユニット
３６  フレーム
３７  横架部材
３８  Ｙ方向駆動機構
４０  Ｚ方向駆動機構
４１  Ｘ方向駆動機構
４２ａ，４２ｂ  ガイドレール
４４  Ｙ方向駆動モータ
４８  Ｘ方向駆動モータ
４９  ベース
５１  ワイヤ
５３  Ｚ方向駆動モータ
６０  ソレノイド
６１  ハウジング
６２  爪部材
６３  リンク機構
６５  リング状ブラケット
６６  リンク
７１  カバー
７５  制御回路